(57)【要約】      （修正有）【課題】店舗において各種の商品を陳列するための商品陳列装置を提供する。【解決手段】商品を載置自在とする陳列面３を有する支持体５を備えた商品陳列装置において、前記陳列面３の一側縁に沿って延びる補助バー７を設けると共に、該補助バー７から前記支持体５に挿入されるガイド手段８を延設し、該ガイド手段８を介して前記陳列面３を拡張する方向に補助バー７を平行移動自在となるように支持した構成である。【選択図】図１
2005245653.tif 000002
【特許請求の範囲】
【請求項１】
商品を載置自在とする陳列面(3)を有する支持体(5)を備えた商品陳列装置において、前記陳列面(3)の一側縁に沿って延びる補助バー(7)を設けると共に、該補助バー(7)から前記支持体(5)に挿入されるガイド手段(8)を延設し、該ガイド手段(8)を介して前記陳列面(3)を拡張する方向に補助バー(7)を平行移動自在となるように支持して成ることを特徴とする商品陳列装置。
【請求項２】
支持体(5)の内部に前記補助バー(7)のガイド手段(8)を保持する保持手段(11)を設け、ガイド手段(8)の長手方向に関して間隔をあけて前記保持手段(11)とガイド手段(8)を相互に係脱自在に係止する係止手段(14)を設けて成ることを特徴とする請求項１に記載の商品陳列装置。
【発明の詳細な説明】
【技術分野】
【０００１】
本発明は、店舗において各種の商品を陳列するための商品陳列装置に関する。
【背景技術】
【０００２】
従来、書店その他の店舗においては、商品を陳列するための陳列台や陳列棚等、商品を載置自在とする陳列面を有する支持体を備えた商品陳列装置が使用されている。
【０００３】
例えば、書店における陳列台の場合、該陳列台の上面の陳列面に新刊図書を積層状に載置し、顧客の注意を惹起せしめることにより販売促進を図っている。
【０００４】
また、各種店舗における陳列棚の場合、棚の上面の陳列面に商品を横並び状に載置し、顧客に対して展示することにより販売促進を図っている。
【特許文献１】特開２００２−３３６０９８公報
【特許文献２】特開２００３−２７５０７５公報
【特許文献３】特開２００３−２９０００１公報
【発明の開示】
【発明が解決しようとする課題】
【０００５】
従来技術において、陳列台の場合、台の天板により形成された陳列面が十分な広さを有せず、該陳列面に載置された商品が該陳列面からはみ出しているときは、顧客が通行するに際し、身体の一部が商品に触れることにより、陳列面から落下する虞れがある。このため、店舗において、既存の陳列台の陳列面を拡張するため、天板を取り替えたり、既存の天板の上に大きな天板を重ねて固定する等の工夫が行われているが、作業が煩雑であり、高コストを要するという問題がある。
【０００６】
また、陳列棚の場合、棚の陳列面の奥行きが制限されているため、陳列面に載置可能な商品の寸法が限られてしまう。例えば、書籍の場合、Ａ５又はＢ５のように規格化された商品の大きさに応じて棚板の奥行きが設計されているが、Ａ５サイズの書籍を陳列するための棚板にＢ５サイズの書籍を載せると、棚の陳列面からはみ出してしまうので、事実上、Ｂ５サイズの書籍は陳列できないという不便がある。このため、店舗では、サイズの異なる棚板を保管し、必要に応じて使い分ける等の工夫が行われているが、保管場所を要するだけでなく、高コストであるという問題がある。
【課題を解決するための手段】
【０００７】
本発明は、上記課題を解決した商品陳列装置を提供するものであり、その手段として構成したところは、商品を載置自在とする陳列面を有する支持体を備えた商品陳列装置において、前記陳列面の一側縁に沿って延びる補助バーを設けると共に、該補助バーから前記支持体に挿入されるガイド手段を延設し、該ガイド手段を介して前記陳列面を拡張する方向に補助バーを平行移動自在となるように支持して成る点にある。
【０００８】
本発明の好ましい実施形態において、商品陳列装置は、支持体の内部に前記補助バーのガイド手段を保持する保持手段を設け、ガイド手段の長手方向に関して間隔をあけて前記保持手段とガイド手段を相互に係止自在とする係止手段を設けている。
【発明の効果】
【０００９】
本発明によれば、補助バーにより陳列面を拡縮自在とするように構成されているので、商品陳列装置の陳列面に商品を載置し陳列するに際し、陳列面が狭すぎる場合は、ガイド手段を介して補助バーを陳列面を拡張する方向に平行移動させれば、これにより陳列面と補助バーの間に補助空間を形成するように陳列面が拡張され、商品を好適に載置し陳列することができる。
【００１０】
即ち、陳列台の場合、補助バーにより陳列面を拡張することができるので、商品を補助バーからはみ出さないように載置することにより、通行する顧客の身体の一部が商品に触れ、商品を陳列面から落下せしめるという現象を防止することができる。この際、陳列面の拡張は、従来のように天板を取り替えたり、別の天板を既存の天板に重ねて固定するような作業を必要としないので、陳列面を拡張するための作業が極めて簡単容易であり、コストの点においても有利である。そして、陳列面の拡張が必要でないときは、補助バーを陳列台の陳列面に近接した位置まで格納することができ、更には、補助バーを取外し可能なように構成することもできる。
【００１１】
また、陳列棚の場合、例えば、Ａ５サイズの書籍を陳列するように奥行きを設計された棚板であっても、補助バーにより陳列面を拡張することにより、Ｂ５サイズの書籍を載せることができるという便利がある。尚、陳列面の拡張が必要でないときは、補助バーを陳列台の陳列面に近接した位置まで格納することができ、更には、補助バーを取外し可能なように構成することもできる。
【００１２】
この際、請求項２に記載のように、保持手段とガイド手段を相互に係止自在とする係止手段をガイド手段の長手方向に関して間隔をあけて設けておけば、補助バーを介して陳列面を拡張する補助空間が段階的に形成されるので、必要なだけ補助空間を任意に形成することができる。即ち、陳列台の場合、補助バーを必要なだけ平行移動させることにより、顧客通行のための通路を不必要に狭めることはない。また、陳列棚の場合、例えば、Ａ５サイズの書籍を陳列するように奥行きを設計された棚において、補助バーを段階的に平行移動させることにより、Ｂ５サイズの書籍の他、Ａ４サイズの書籍やＢ４サイズの書籍を載せることができる。
【発明を実施するための最良の形態】
【００１３】
以下図面に基づいて本発明の好ましい実施形態を詳述する。
【００１４】
（陳列台の構成）
図１ないし図３は、商品陳列装置１を構成する陳列台２を例示しており、陳列台２は、商品を載置自在とする陳列面３を有する天板４により支持体５を構成している。尚、図示省略しているが、陳列台２は、天板４の下方空間を利用することにより、扉付のキャビネットや、引出付のキャビネット等のキャビネット６を構成することができる。
【００１５】
陳列台２は、陳列面３の正面側の一側縁に沿ってほぼ平行に延びる補助バー７を設けている。補助バー７は、支持体５に挿入されるガイド手段８を延設しており、該ガイド手段８を介して陳列面３を拡張する方向に補助バー７を平行移動自在となるように支持せしめられている。
【００１６】
図１において、左側に設置された陳列台２ａは、補助バー７をガイド手段８により陳列面３に対して僅かな間隔をあけて又は間隔をあけないで近接せしめられた格納状態を示しており、これに対して、右側に設置された陳列台２ｂは、補助バー７をガイド手段８により陳列面３を拡張する方向に平行移動した拡張状態を示しており、これにより陳列面３の一側縁から補助バー７に至る補助空間Ｓを形成している。
【００１７】
従って、例えば、書店において、陳列台２の陳列面３に新刊図書を積層状に載置することにより陳列し展示する場合、図１の左側に示す陳列台２ａのように補助バー７を格納した状態で陳列面３が狭すぎ、商品が陳列面３からはみ出し、通行する顧客の身体が商品に触れて落下する虞れがあるようなときは、図１の右側に示す陳列台２ｂのように、補助バー７を拡張した状態まで引出し、補助空間Ｓを形成せしめることにより、陳列面３と補助バー７の間に跨がって商品を載置することができ、該商品に対して顧客の身体が触れることを防止できる。
【００１８】
図２及び図３は、補助バー７のガイド手段８と支持体５との関係を示している。天板４を構成する支持体５は、ガイド手段８を挿通せしめる切欠部９を前壁１０ａに形成した化粧板１０により被われた内部空間に保持手段１１を設けている。保持手段１１は、図例の場合、下向きに開口する断面溝形の部材により形成され、前後壁１１ａ、１１ｂにそれぞれ挿通孔１２ａ、１２ｂを形成し、補助バー７のガイド手段８を、切欠部９から挿通孔１２ａ、１２ｂに挿通せしめるように構成されている。尚、図示実施形態の場合、ガイド手段８を断面矩形となる角形部材により形成し、切欠部９及び挿通孔１２ａ、１２ｂを何れも矩形に形成しているが、これに限定されるものではない。
【００１９】
従って、補助バー７のガイド手段８を化粧板１０の切欠部９から挿入すると、該ガイド手段８は、保持手段１１の挿通孔１２ａ、１２ｂに対して進退移動自在に挿通されると共に保持される。この際、図例のように、保持手段１１の前壁１１ａと化粧板１０の前壁１０ａとの間に補助保持材１３を設け、切欠部９の近傍でガイド手段８の下面を補助保持材１３により支持するように構成することが好ましい。
【００２０】
前記保持手段１１とガイド手段８の間には、相互に係止自在となる係止手段１４が設けられている。図示実施形態において、係止手段１４は、前壁１１ａの挿通孔１２ａの下縁から突設された係止爪１５と、ガイド手段８の底面に開設された係止孔１６とから構成され、係止爪１５を係止孔１６に挿入係止することにより、ガイド手段８を進退移動不能に係止する。尚、係止手段１４は、このような爪と孔により構成する他、ガイド手段８を進退移動不能となるように係脱自在に係止するものであれば良い。
【００２１】
係止手段１４は、ガイド手段８の長手方向に間隔をあけて設けられている。図示実施形態の場合、係止孔１６を所定間隔をあけて複数個所（図例の場合は３個所）に形成することにより、ガイド手段８を進出方向（引出方向）Ｆに向けて移動したとき、その移動量に応じて、何れかの係止孔１６が係止爪１５に係止するように構成されている。
【００２２】
従って、図２（Ａ）に示すように、補助バー７を陳列面３に対して僅かな間隔をあけて又は間隔をあけないで近接せしめた格納状態において、保持手段１１に挿入されたガイド手段８は、最も基端側（図示右側）の係止孔１６ａを係止爪１５に係止している。従って、ガイド手段８は、進出方向Ｆ及び後退方向Ｒの何れ方向にも移動しないように保持されている。
【００２３】
この格納状態から補助バー７を引き出すためガイド手段８を進出方向Ｆに移動するに際しては、図２（Ｂ）に示すように、ガイド手段８の前端部を補助バー７と共に僅かに持ち上げてやると、前記係止爪１５が係止孔１６ａから脱するので、図示鎖線で示すようにガイド手段８を進出方向Ｆに引き出すことが可能になる。
【００２４】
そこで、ガイド手段８の底面を係止爪１５に接した状態で摺擦させながらガイド手段８を引き出し、次の係止孔１６ｂが係止爪１５に臨むと、作業者は触感によりその状態を感知できるので、持ち上げたガイド手段８の前端部を下ろせば、図２（Ｃ）に示すように、次の係止孔１６ｂが係止爪１５に係止し、補助バー７を移動した拡張状態において、ガイド手段８を進出方向Ｆ及び後退方向Ｒの何れ方向にも移動しないように保持することができる。
【００２５】
同様にして、ガイド手段８を更に引き出すことにより、最も先端側（図示左側）の係止孔１６ｃを係止爪１５に係止させることができ、このようにして、陳列面３の一側縁から補助バー７に至る補助空間Ｓを段階的に拡張することができる。
【００２６】
拡張状態から格納状態に戻すには、前記と同様にガイド手段８の前端部を持ち上げることにより係止孔１６と係止爪１５の係止を解き、ガイド手段８を挿通孔１２ａ、１２ｂに沿って押し込めば良い。更に、上記構成によれば、ガイド手段８を挿通孔１２ａ、１２ｂ及び切欠部９から引き抜くことにより、補助バー７及びガイド手段８を陳列装置１から取外すこともできる。この際、予め準備された化粧栓を切欠部９に装着するようにしておけば、美的外観を保持できる。
【００２７】
（陳列棚の構成）
図４は、商品陳列装置１を構成する陳列棚１７を例示しており、陳列棚１７は、商品を載置自在とする陳列面３を有する棚板１８により支持体５を構成しており、棚板１８を支柱１９、１９に着脱自在に架設している。
【００２８】
陳列棚１８は、陳列面３の正面側の一側縁に沿ってほぼ平行に延びる補助バー７を設けている。補助バー７は、支持体５に挿入されるガイド手段８を延設しており、該ガイド手段８を介して陳列面３を拡張する方向に補助バー７を平行移動自在となるように支持せしめられている。
【００２９】
図４において、下側に配置された陳列棚１８ａは、補助バー７をガイド手段８により陳列面３に対して僅かな間隔をあけて又は間隔をあけないで近接せしめられた格納状態を示しており、これに対して、上側に設置された陳列棚１８ｂは、補助バー７をガイド手段８により陳列面３を拡張する方向に平行移動した拡張状態を示しており、これにより陳列面３の一側縁から補助バー７に至る補助空間Ｓを形成している。
【００３０】
従って、例えば、書店において、例えば、陳列棚１８ａ、１８ｂの陳列面３にＡ５サイズの書籍を陳列するように奥行きを設計された棚であっても、補助バー７により陳列面３を拡張することにより、Ｂ５サイズの書籍を載せることができる。
【００３１】
説明が重複するため詳細を省略するが、支持体５を構成する陳列棚１８ａ、１８ｂの内部には、図２及び図３に基づいて上述したような挿通孔を備えた保持手段が設けられ、保持手段とガイド手段８の間に上述したような係止爪と係止孔とから成る係止手段が形成されており、該係止手段はガイド手段８の長手方向に間隔をあけて設けられている。尚、この点に関する構成の説明は、上述の説明を援用する。
【００３２】
従って、ガイド手段８の引出移動は、間隔をあけて配置された係止孔のうち、選択された係止孔を係止爪に係止させることにより、陳列面３の一側縁から補助バー７に至り形成される補助空間Ｓを段階的に拡張することができるので、前述のように、例えば、Ａ５サイズの書籍を陳列するように奥行きを設計された棚であっても、補助バー７により陳列面３を拡張することにより、Ｂ５サイズの書籍のみならず、更に、Ａ４サイズの書籍を載置できるように段階的な利用が可能である。更に、ガイド手段８を引き抜くことにより、補助バー７及びガイド手段８を陳列装置１から取外すことができることは上述の場合と同様である。
【図面の簡単な説明】
【００３３】
【図１】本発明の陳列台として例示される陳列装置の１実施形態を示す斜視図である。
【図２】本発明の１実施形態の作用を示しており、（Ａ）は補助バーの格納状態を示す断面図、（Ｂ）は係止手段の係止を解いた状態を示す断面図、（Ｃ）は補助バーの拡張状態を示す断面図である。
【図３】本発明の１実施形態の内部構造を示す分解斜視図である。
【図４】本発明の陳列棚として例示される陳列装置の１実施形態を示す斜視図である。
【符号の説明】
【００３４】
１    商品陳列装置
２    陳列台
３    陳列面
５    支持体
７    補助バー
８    ガイド手段
１１    保持手段
１２ａ、１２ｂ  挿通孔
１４    係止手段
１５    係止爪
１６    係止孔
１７    陳列棚
【図１】
2005245653.tif 000003
【図２】
2005245653.tif 000004
【図３】
2005245653.tif 000005
【図４】
2005245653.tif 000006